【手続補正書】
【提出日】平成17年8月25日(2005.8.25)
【手続補正１】
【補正対象書類名】明細書
【補正対象項目名】特許請求の範囲
【補正方法】変更
【補正の内容】
【特許請求の範囲】
【請求項１】
遊技盤面上に球を打ち出す遊技で所定の条件が成立すると、遊技者に有利な特賞が発生する遊技機において、
該遊技機は、前記遊技盤面上に目視可能に設けられた可変表示装置と、遊技状態を制御する遊技制御装置とを有し、
前記可変表示装置は、始動条件に基づいて図柄変動を表示する可変表示部と、競技遊技内容を表示する競技表示部と、該競技遊技の結果を表示する特別表示部とから構成され、
前記遊技制御装置は、図柄変動実行手段、競技遊技実行手段、可変表示部選択手段を有し、
前記始動条件の成立を契機に、前記図柄変動実行手段により前記可変表示部で図柄変動が実行されると共に、前記競技遊技実行手段により、前記競技表示部で競技遊技が実行され、
前記始動条件が成立する毎に、図柄変動実行手段により図柄変動は初期化され新たに図柄変動が実行される一方、前記競技遊技の表示内容は前記競技遊技実行手段により前回の競技遊技内容が継続表示して実行され、
前記競技遊技実行手段により前記競技遊技で遊技者側の得点ないし勝数を前記特別表示部に特別表示すると共に、該特別表示部に表示される得点ないし勝数の数が増える毎に、前記可変表示部選択手段によって次回からの遊技における前記図柄変動が実行される可変表示部の数が増えるように制御され、
少なくとも１つの可変表示部における表示結果が大当たりの表示状態の場合、前記競技遊技の表示内容の継続は終了すると共に、前記可変表示部選択手段は前記可変表示部の数を初期化することを特徴とする遊技機。
【請求項２】
遊技盤面上に球を打ち出す遊技で所定の条件が成立すると、遊技者に有利な特賞が発生する遊技機において、
該遊技機は、前記遊技盤面上に目視可能に設けられた可変表示装置と、遊技状態を制御する遊技制御装置とを有し、
前記可変表示装置は、始動条件に基づいて図柄変動を表示する可変表示部と、競技遊技内容を表示する競技表示部とから成り、
前記遊技制御装置は、第１抽選実行手段と、第２抽選実行手段と、図柄変動実行手段と、競技遊技実行手段と、可変表示部選択手段と、特賞生成手段とを具備して成り、
前記第１抽選実行手段は、所定の始動条件が成立した場合に、前記図柄変動における当たり、ハズレに関する図柄乱数を生成し、
前記第２抽選実行手段は、所定の始動条件が成立した場合に、前記競技遊技における対戦内容に関する競技乱数を生成し、
前記図柄変動実行手段は、予め選択された前記可変表示部で、前記始動条件が成立する毎に前記図柄乱数に応じて図柄変動を新たに実行し、
前記競技遊技実行手段は、前記競技表示部で、前記始動条件が成立する毎に前記競技乱数に応じて一連の競技遊技を継続的に実行し、
前記可変表示部選択手段は、前記競技遊技で遊技者側の得点ないし勝数の数が増える毎に、それに応じて次回からの遊技における前記図柄変動が実行される可変表示部の数を多く選択し、
前記特賞生成手段は、前記第１抽選実行手段の抽選結果に応じて、少なくとも１つの前記可変表示部における表示結果が大当たり表示に相当した場合に前記特賞を発生させ、該特賞状態の終了後、
前記競技遊技実行手段は、一連の競技遊技を一旦終了させて、次回からの前記競技遊技を初期化させて新たに開始させることを特徴とする遊技機。
【手続補正２】
【補正対象書類名】明細書
【補正対象項目名】０００８
【補正方法】変更
【補正の内容】
【０００８】
【課題を解決するための手段】
前述した目的を達成するための本発明の要旨とするところは、次の各項の発明に存する。
［１］遊技盤面（１１）上に球を打ち出す遊技で所定の条件が成立すると、遊技者に有利な特賞が発生する遊技機（１０）において、
該遊技機（１０）は、前記遊技盤面（１１）上に目視可能に設けられた可変表示装置（３０）と、遊技状態を制御する遊技制御装置（１００）とを有し、
前記可変表示装置（３０）は、始動条件に基づいて図柄変動を表示する可変表示部（３１〜３４）と、競技遊技内容を表示する競技表示部（３０ａ）と、該競技遊技の結果を表示する特別表示部（３５）とから構成され、
前記遊技制御装置（１００）は、図柄変動実行手段（１１４）、競技遊技実行手段（１１５）、可変表示部選択手段（１１６）を有し、
前記始動条件の成立を契機に、前記図柄変動実行手段（１１４）により前記可変表示部（３１〜３４）で図柄変動が実行されると共に、前記競技遊技実行手段（１１５）により、前記競技表示部（３０ａ）で競技遊技が実行され、
前記始動条件が成立する毎に、図柄変動実行手段（１１４）により図柄変動は初期化され新たに図柄変動が実行される一方、前記競技遊技の表示内容は前記競技遊技実行手段（１１５）により前回の競技遊技内容が継続表示して実行され、
前記競技遊技実行手段（１１５）により前記競技遊技で遊技者側の得点ないし勝数を前記特別表示部（３５）に特別表示すると共に、該特別表示部（３５）に表示される得点ないし勝数の数が増える毎に、前記可変表示部選択手段（１１６）によって次回からの遊技における前記図柄変動が実行される可変表示部（３１〜３４）の数が増えるように制御され、
少なくとも１つの可変表示部における表示結果が大当たりの表示状態の場合、前記競技遊技の表示内容の継続は終了すると共に、前記可変表示部選択手段（１１６）は前記可変表示部（３１〜３４）の数を初期化することを特徴とする遊技機（１０）。
【手続補正３】
【補正対象書類名】明細書
【補正対象項目名】０００９
【補正方法】変更
【補正の内容】
【０００９】
［２］遊技盤面（１１）上に球を打ち出す遊技で所定の条件が成立すると、遊技者に有利な特賞が発生する遊技機（１０）において、
該遊技機（１０）は、前記遊技盤面（１１）上に目視可能に設けられた可変表示装置（３０）と、遊技状態を制御する遊技制御装置（１００）とを有し、
前記可変表示装置（３０）は、始動条件に基づいて図柄変動を表示する可変表示部（３１〜３４）と、競技遊技内容を表示する競技表示部（３０ａ）とから成り、
前記遊技制御装置（１００）は、第１抽選実行手段（１１１）と、第２抽選実行手段（１１２）と、図柄変動実行手段（１１４）と、競技遊技実行手段（１１５）と、可変表示部選択手段（１１６）と、特賞生成手段（１１７）とを具備して成り、
前記第１抽選実行手段（１１１）は、所定の始動条件が成立した場合に、前記図柄変動における当たり、ハズレに関する図柄乱数を生成し、
前記第２抽選実行手段（１１２）は、所定の始動条件が成立した場合に、前記競技遊技における対戦内容に関する競技乱数を生成し、
前記図柄変動実行手段（１１４）は、予め選択された前記可変表示部（３１〜３４）で、前記始動条件が成立する毎に前記図柄乱数に応じて図柄変動を新たに実行し、
前記競技遊技実行手段（１１５）は、前記競技表示部（３０ａ）で、前記始動条件が成立する毎に前記競技乱数に応じて一連の競技遊技を継続的に実行し、
前記可変表示部選択手段（１１６）は、前記競技遊技で遊技者側の得点ないし勝数の数が増える毎に、それに応じて次回からの遊技における前記図柄変動が実行される可変表示部（３１〜３４）の数を多く選択し、
前記特賞生成手段（１１７）は、前記第１抽選実行手段（１１１）の抽選結果に応じて、少なくとも１つの前記可変表示部における表示結果が大当たり表示に相当した場合に前記特賞を発生させ、該特賞状態の終了後、
前記競技遊技実行手段（１１５）は、一連の競技遊技を一旦終了させて、次回からの前記競技遊技を初期化させて新たに開始させることを特徴とする遊技機（１０）。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００２９
【補正方法】削除
【補正の内容】
【手続補正１３】
【補正対象書類名】明細書
【補正対象項目名】００３０
【補正方法】削除
【補正の内容】
【手続補正１４】
【補正対象書類名】明細書
【補正対象項目名】００３１
【補正方法】削除
【補正の内容】
【手続補正１５】
【補正対象書類名】明細書
【補正対象項目名】００３２
【補正方法】削除
【補正の内容】
【手続補正１６】
【補正対象書類名】明細書
【補正対象項目名】００３３
【補正方法】削除
【補正の内容】
【手続補正１７】
【補正対象書類名】明細書
【補正対象項目名】００３４
【補正方法】削除
【補正の内容】
【手続補正１８】
【補正対象書類名】明細書
【補正対象項目名】００３５
【補正方法】削除
【補正の内容】
【手続補正１９】
【補正対象書類名】図面
【補正対象項目名】図２
【補正方法】変更
【補正の内容】
【図２】
2000229159.tif 000001
【手続補正２０】
【補正対象書類名】図面
【補正対象項目名】図３
【補正方法】変更
【補正の内容】
【図３】
2000229159.tif 000002